(57)【要約】本発明は、多用パンティー及び下衣の一種に関する。多用パンティーは、布地、パンティー布地の三つの端それぞれに設置された少なくとも一本のストラップを含む。ボトムスはズボンを含み、多用パンティーはズボンに設置され、多用パンティーは、布地、パンティー布地の三つの端それぞれに設置された少なくとも一本のストラップを含む。多用パンティーは、３本のストラップの端に連接される。【選択図】図１
2008542554.tif 000002
【特許請求の範囲】
【請求項１】
布地（１）の三つの端部にそれぞれ少なくとも一本のストラップ（２）を設置することを特徴とする布地（１）を含む一種の多用パンティー。
【請求項２】
ストラップ（２）の総数が四本或いは三本であることを特徴とする請求項１記載の多用パンティー。
【請求項３】
ストラップ（２）の総数が四本で、その中の二本がファスナー或いはリンクを通じて合併していることを特徴とする請求項２記載の多用パンティー。
【請求項４】
ストラップ（２）が弾性を持つゴムひもであることを特徴とする請求項１記載の多用パンティー。
【請求項５】
ストラップ（２）にストラップの長さを調節できる装置（３）を設置し、かつ、ストラップに大・中・小サイズを示すタグ或いは目盛を設置することを特徴とする請求項１記載のパンティー。
【請求項６】
各ストラップ（２）の端部或いは布地（１）の端部に連結件（４）を設置することを特徴とする請求項１乃至５のいずれか１項に記載のパンティー。
【請求項７】
連結件（４）がボタン、スナップ或いはフックからなることを特徴とする請求項６記載のパンティー。
【請求項８】
布地（１）が三角形であることを特徴とする請求項１乃至５のいずれか１項に記載のパンティー。
【請求項９】
ボトムス（５）に請求項１乃至８のいずれか１項に記載の多用パンティーを連結し、その多用パンティー（６）がストラップの端部を通じてボトムスと連結
することを特徴とする下衣。
【請求項１０】
ボトムス（５）に三つの連結点（７）を設置し、その中の二つの連結点がボトムス（５）前部の左右両側と後部にそれぞれ位置し、多用パンティーの各ストラップが一対一に上述の三つの連結点と連結することを特徴とする請求項９記載の下衣。
【発明の詳細な説明】
【技術分野】
【０００１】
本発明は多用パンティー及び下衣の一種に関連する発明である。
【背景技術】
【０００２】
近年、ヒップボーンがアメリカファッションの新しい潮流になっている。女性たちはヒップボーンを穿く時、気をつけないと、臀部の溝が見えてしまう。さらにファッション界に認められ、新しいファッションスタイルとなった。女性雑誌『Cosmopolitan』のファッション編集者であるドガラス氏は「臀部の溝を暴露する服は絶対最も流行っている身なりで、体の少しの部分を露出するのはかなりセクシーではないか」と言った。それで、ハリウッドではヒップボーンの旋風を巻き起こした。有名人らの身なりはファッション潮流の風向計だから、ヒップボーンを穿いて誇りを持って町を歩いている若者が大勢いる。しかし、もし、腰を曲げる時、パンティーの縁を見られてしまったら、彼女（或いは彼）のファッションセンスが良くないと感じられる恐れがある。また、現有のパンティーが穿いたり脱いだりする時に面倒臭く、とくにトイレに入ったり、パンティーを着替えたりする時にも不便である。
【０００３】
公知のように、Ｔバックというものがあるが、それらの製品が使用上の機能性と便利性において単一という欠点がある。
【発明の開示】
【０００４】
上述の身なりの欠陥を克服するために、本発明が一種の構造が簡単で、使用が便利で、腰を曲げても暴露されない多用パンティーを提供すると共に、その多用パンティーを含む下衣をも提供する。
【０００５】
本発明を実現する技術方案が以下のように：
布地、パンティー布地の三つの端それぞれに設置された少なくとも一本のストラップを含む一種の多用パンティーである。本発明の中で所謂少なくとも一本のストラップとは、一本あるいは一本以上のストラップという意味で、その具体の数が実際の状況に応じて本領域の普通技術者に決められる。
【０００６】
本発明においてストラップの総数は三本或いは四本である。ストラップの総数が四
本である時、端に一本ずつあるから、二本が並列するわけである。比較的に、四本であるほうが好ましい。通常、ストラップには弾性を持つゴム紐もあり、勿論、伸縮できない一般的なストラップもある。
【０００７】
ストラップにストラップの長さを調整できる装置を設置している。その装置はVelcroナイロンボタンかリンクボタンかからなるのである。また、ストラップに大サイズ・中サイズ・小サイズのマーク或いは具体的な尺度を設置する。
【０００８】
すべてのストラップの端部或いはパンティー布地の端部に連結件を設置される。もっと具体な方案は、すべてのストラップの端部に連結件を設置する、或いは、パンティー布地の端部に設置する、或いは、すべてのストラップの端部に連結件を設置すると同時に、パンティー布地の端部にも連結件を設置するのである。また、パンティー布地の端部に二本のストラップを設置する時、その端部に二本の連結件を設置する。連結件はボタン、スナップ、粘着布或いは掛けフックからなるのは好ましく、より好ましいのはスナップ或いは掛けフックからなるのである。具体的には、パンティー布地の上部両端と下部両端に直接に連接用穴を設置する。例えば、直接に穴をあけたり、連接装置リンクをはめ込んだりして、或いは粘ボタンと“８”字ボタン等からなる。
【０００９】
パンティーの布地の形が三角形であることは大切である。
【００１０】
本発明において提供した多用パンティーを含む下衣の技術方案が以下のように：
下衣はボトムスを含む。ここで所謂ボトムスはスカート、ズボン、キュロット・スカート等のような様々な下半身の服を指す。純綿或いは体液に対して優れた吸着機能を持つ材料を、また回収不可な布をも使用できる布地を含む多用パンティーがボトムスと連接する。布地の三つの端にそれぞれを設置した少なくとも一本のストラップの端部を通じて多用パンティーがボトムスと連接する。ストラップの数は三本或いは四本である。四本であったら好ましく、その中に二本が並列するわけである。通常、下端部のストラップを二本に限定される。この時、その二本のストラップをファスナー或いはストラップリンクにデザインし、ファスナー或いはストラップリンクを開けると、二本のストラップが一本になれるわけである。ストラップリンクは弾性材料からも非弾性材料からもなれる。ストラップは弾性を持つゴムひもでもあり、弾性を持たない普通ストラップでもある。各ストラップにストラップの長さを調整できる装置を設置する。その装置はVelcroナイロンボタンかリンクボタンかからなり、またその他の調節装置からもなれる。各ストラップの端部に連結件を設置する。連結件はボタン、スナップ（粘着布）やリンクなどから構成できる。パンティー布地は三角形で、その他の適当な形でもいい。パンティー布地の内側にまた芯地を縫い合わせるのは好ましく、また芯地が体液によく吸着できる材料からなる。例えば、純綿等。また、「パンティー布地の内側に芯地を縫い合わせる」そのものは公知の技術である。
【００１１】
ボトムスにそれぞれ三つの連結点を設置し、その中の二つの連結点がボトムス前部の左右両側に設置し、残った一つの連結点が後部に位置し、それらの三つの連結点がそれぞれ多用パンティーの各ストラップと連結する。
【００１２】
本発明はストラップ式構造を使用するため、穿いたり脱いだりすることが便利で、また、腰を曲げる時、暴露されない。便利に使われ、機能が多様化である一方、需要に応じて違ったユニット的な穿き方が遂げられる。また、本発明のパンティーを穿いた後、臀部に押し痕を残さず、無痕な効果に達する。さらに、本発明は使う布が少ないので、衛生要求を満足する条件の下に、さわやかな効果に達し、女性たちにおいて人気が高いのである。
【００１３】
それと同時に、妊婦にとって、特に妊娠後期に、行動が不便なゆえ、パンティーを穿いたり脱いだりすることが不便になる。本発明を使用したら、ボトムスを脱がないままに、パンティーを穿いたり脱いだりすることができ、より便利になる。
【００１４】
本発明のパンティーは伝統的なパンティー構造のストラップと布地を分離式にデザインし、部品を自動化生産できるので、生産効率を高め、人工コストを減少する。さらに、分離部品をそれぞれ無菌化に包装し、最後に無菌化多用パンティーを作成し、国際的な空白を埋める。
【発明を実施するための最良の形態】
【００１５】
付録図と実施例を結び付けて詳しく説明する。
【００１６】
図１を参照する。図１が示したように、実施例１の多用パンティーは布地１、布地１の三つの端部にそれぞれ設置した一本のストラップ２、一本のストラップ２、二本のストラップ２を含む。ストラップの総数は四本で、その中の二本が並列している。本例の下端部に設置したストラップが二本で、その上にストラップリンク９があり、ストラップリンク９を引くと、二本のストラップが一本になる。ストラップリンク９は弾性を持つゴム輪で、本例のストラップは弾性を持つゴムひもである。言及された各ストラップにストラップの長さを調節できる結び輪があり、本例の結び輪が普通の８字形の結び輪である。ストラップの端部に連結件を設置し、本例の連結件４はリンクユニットで、図から見ると、連結件４が一端に掛けフックがあり、残った端部に掛けリンクがある。パンティー布地１は三角形で、本例の具体的な材質は綿製品を選ぶ。パンティー布地の内側に細菌の繁殖しにくい純綿製品からなる芯地を縫い合わせる（図示せず）。
【００１７】
図２を参照する。図２は実施例１で使用した多用パンティーの使用状態の一種を示す参考図である。その中のボトムス５の下に多用パンティーを穿いている。言及されたパンティーは布地１を含み、布地が純綿製品からなる。パンティー布地の三つの端部にそれぞれストラップ２を設置する。ストラップ２は総合４本あり、下端の一本が上端左側に連結し、側輪を形成する。それと同時に、下端の別のストラップを上部右端のストラップと連結させ、別の側輪を形成する。穿くとき、両足が二つの側輪をそれぞれ挿し込む。ストラップ２は弾性ゴムひもで、各ストラップ２に長さを調節できるリンク３を設置する。各ストラップ２の端部に連結件４が設置される。
【００１８】
図３を参照する。図３は実施例１で使用した多用パンティーの使用状態のもう一種を示す参考図である。その中のボトムス５の下に多用パンティーを穿いている。言及されたパンティーは布地１を含み、布地が純綿製品からなるのである。パンティー布地の三つの端部にそれぞれストラップ２を設置する。ストラップ２は総合４本あり、下端の一本が上端左側に連結し、円状な腰リンクを形成する。それと同時に、下端の二本のストラップを一つに合わせ、上の円状な腰リンクの中後部と連結したら、三角形のパンティーを形成する。ストラップ２は弾性ゴムひもで、各ストラップ２に長さを調節できるリンク３を設置する。各ストラップ２の端部に連結件４が設置される。
【００１９】
図４を参照する。図４は実施例１の多用パンティーを含む下衣の構造を示す説明図である。ボトムス５と多用パンティー６と連結している。パンティー６は布地１、布地１の三つの端部にそれぞれ一本ずつ設置したストラップ２を含み、ストラップ２は総合四本である。ボトムスにそれぞれ三つの連結点７を設置し、その中の二つの連結点がボトムス５の前部の左右両側に位置し、残った連結点がボトムス５の後部に位置している。パンティーの各ストラップが上述のボトムスの三つの連結点と連結している。それらの連結点が裏側にも表側にも位置できる。ストラップ２は弾性ゴムひもで、各ストラップ２に長さを調節できるリンク３を設置する。各ストラップ２の端部に連結件４が設置される。連結件は掛けフックである。パンティー布地１は三角形である。パンティー布地の内側に細菌の繁殖しにくい純綿製品からなる芯地を縫い合わせる（図示せず）。
【００２０】
図５を参照する。図５は実施例２の多用パンティーを含む下衣の構造を示す説明図である。図４の実施例１との相違点は、ストラップ２の総数は三本で、ボトムス５後部と連結するストラップ２が一本ということである。
【００２１】
図６を参照する。図６は実施例３の多用パンティーの構造を示す説明図である。図６が示した実施例３の多用パンティーは布地１、布地１の三つの端部にそれぞれ設置した一本のストラップ２、一本のストラップ２、二本のストラップ２を含む。ストラップの総数は四本で、その中の二本が並列している。本例のストラップは弾性を持つゴムひもである。各ストラップにストラップの長さを調節できる結び輪があり、本例の結び輪が普通の８字形の結び輪である。ストラップの端部に連結件を設置し、また、布地１の端部に相応的に連結件を設置する。本例の連結件４は掛けフックユニットで、図から見ると、連結件４の一端に掛けフックがあり、残った端部に掛けリンクがある。布地１の三つの端部に三つのリンクを内蔵する。
【００２２】
図７を参照する。図７は実施例４の多用パンティーの構造を示す説明図である。図６の実施例３との相違点は、実施例４においてパンティー布地１の三つの端部の外縁に三つの連結件４の三つのリンクを縫い合わせるということである。
【００２３】
さらに、図８を参照する。図８はストラップ２の構造説明図である。図から見ると、ストラップ２の上に目盛１０を付け、大サイズ、中サイズと小サイズと分けられる。そうしたら、目盛にしたがって便利に調節でき、それと同時に、それを利用して同時にすべてのサイズを含む多用パンティーを作り出すことができる。
【００２４】
本発明について詳しい説明及びより優秀な実例を引いて証明したが、本領域の一般的な技術者らは上述した説明に基づいて様々な交替・修正・手直し法案を作成できることが明らかである。従って、それらの交替・修正・手直し法案はすべて特許請求の精神と範囲に属する。
【図面の簡単な説明】
【００２５】
【図１】実施例１で使用した多用パンティーの構造を示す説明図である。
【図２】実施例１で使用した多用パンティーの使用状態の一種を示す参考図である。
【図３】実施例１で使用した多用パンティーの使用状態のもう一種を示す参考図である。
【図４】実施例１の多用パンティーを含む下衣の構造を示す説明図である。
【図５】実施例２の多用パンティーを含む下衣の構造を示す説明図である。
【図６】実施例３の多用パンティーの構造を示す説明図である。
【図７】実施例４の多用パンティーの構造を示す説明図である。
【図８】実施例４の多用パンティーのストラップの構造を示す説明図である。
【図１】
2008542554.tif 000003
【図２】
2008542554.tif 000004
【図３】
2008542554.tif 000005
【図４】
2008542554.tif 000006
【図５】
2008542554.tif 000007
【図６】
2008542554.tif 000008
【図７】
2008542554.tif 000009
【図８】
2008542554.tif 000010
【国際調査報告】
2008542554.tif 000011
2008542554.tif 000012
2008542554.tif 000013
2008542554.tif 000014
2008542554.tif 000015
2008542554.tif 000016
2008542554.tif 000017
2008542554.tif 000018